(57)【要約】【課題】本発明は、通信装置を提供する。【解決手段】本発明の通信装置は、第一所定帯域幅を有する第一通信モードで通信し、第二所定帯域幅を有する第二通信モードで通信する電子装置に接続され、通信装置が電子装置に接続されたか否かを判断し、通信装置が電子装置に接続されると検出信号を生成する判断モジュールと、検出信号に基づいて第二所定帯域幅と電子装置が占有する帯域幅との間の差を検出して剰余帯域幅を求める検出モジュールと、第一所定帯域幅と剰余帯域幅を比較して、第一所定帯域幅が剰余帯域幅より小さいと第一制御信号を生成し、第一所定帯域幅が剰余帯域幅より大きいと第二制御信号を生成する比較モジュールと、第一制御信号を受信すると、通信装置が電子装置を利用して第二通信モードで他の装置と通信するように制御し、第二制御信号を受信すると、通信装置が第一通信モードで他の装置と通信するように制御する制御モジュールと、を備える。【選択図】図１
2014087051.tif 000002
【特許請求の範囲】
【請求項１】
第一所定帯域幅を有する第一通信モードで通信し、且つ前記第一通信モードと異なる通信技術を採用する第二所定帯域幅を有する第二通信モードで通信する電子装置に電気的に接続される通信装置であって、
前記通信装置が前記電子装置に接続されたか否かを判断し、前記通信装置が前記電子装置に接続されると検出信号を生成する判断モジュールと、
前記検出信号に基づいて前記第二所定帯域幅と前記電子装置が占有する帯域幅との間の差を検出して剰余帯域幅を求める検出モジュールと、
前記第一所定帯域幅と前記剰余帯域幅を比較して、前記第一所定帯域幅が前記剰余帯域幅より小さいと第一制御信号を生成し、前記第一所定帯域幅が前記剰余帯域幅より大きいと第二制御信号を生成する比較モジュールと、
前記第一制御信号を受信すると、前記通信装置が前記電子装置を利用して第二通信モードで他の装置と通信するように制御し、前記第二制御信号を受信すると、前記通信装置が第一通信モードで他の装置と通信するように制御する制御モジュールと、
を備えることを特徴とする通信装置。
【請求項２】
前記第一通信モードは移動通信技術に基づく無線通信であり、前記第二通信モードはＴＣＰ/ＩＰ通信プロトコルに基づく有線通信であることを特徴とする請求項１に記載の通信装置。
【請求項３】
第一所定帯域幅を有する第一通信モードで通信する通信装置が前記第一通信モードと異なる通信技術を採用する第二所定帯域幅を有する第二通信モードで通信する電子装置を利用して第二通信モードで他の装置と通信するように制御する通信方法であって、
前記通信装置が前記電子装置に接続されたか否かを判断するステップと、
前記通信装置が前記電子装置に接続されると、第二所定帯域幅と前記電子装置が占有する帯域幅との間の差を検出して剰余帯域幅を求めるステップと、
前記第一所定帯域幅と前記剰余帯域幅を比較するステップと、
前記第一所定帯域幅が前記剰余帯域幅より小さいか等しいと、前記通信装置が前記電子装置を利用して前記第二通信モードで他の装置と通信するように制御し、前記第一所定帯域幅が剰余帯域幅より大きいと、前記通信装置が前記第一通信モードで他の装置と通信するように制御するステップと、
を備えることを特徴とする通信方法。
【請求項４】
前記第一通信モードは移動通信技術に基づく無線通信であり、前記第二通信モードはＴＣＰ/ＩＰ通信プロトコルに基づく有線通信であることを特徴とする請求項３に記載の通信方法。
【発明の詳細な説明】
【技術分野】
【０００１】
本発明は、通信装置及び通信方法に関するものである。
【背景技術】
【０００２】
従来の技術において、２Ｇ、３Ｇなどの無線通信方式によって携帯電話と他の電子装置又はインターネットとの間のデータ伝送を実現する。無線通信の帯域幅は有線通信の帯域幅より遥かに小さいので、携帯電話で大量のデータを伝送する際、無線通信の帯域幅に制限されて、携帯電話はウェブページを快速にブラウズする又は快速にダウンロードすることができない。
【発明の概要】
【発明が解決しようとする課題】
【０００３】
本発明の目的は、上記問題を解決するものであり、通信モードを切り替えることができる通信装置及び通信方法を提供することである。
【課題を解決するための手段】
【０００４】
本発明に係る通信装置は、第一所定帯域幅を有する第一通信モードで通信し、且つ第一通信モードと異なる通信技術を採用する第二所定帯域幅を有する第二通信モードで通信する電子装置に電気的に接続され、通信装置が電子装置に接続されたか否かを判断し、通信装置が電子装置に接続されると検出信号を生成する判断モジュールと、検出信号に基づいて第二所定帯域幅と電子装置が占有する帯域幅との間の差を検出して剰余帯域幅を求める検出モジュールと、第一所定帯域幅と剰余帯域幅を比較して、第一所定帯域幅が剰余帯域幅より小さいと第一制御信号を生成し、第一所定帯域幅が剰余帯域幅より大きいと第二制御信号を生成する比較モジュールと、第一制御信号を受信すると、通信装置が電子装置を利用して第二通信モードで他の装置と通信するように制御し、第二制御信号を受信すると、通信装置が第一通信モードで他の装置と通信するように制御する制御モジュールと、を備える。
【０００５】
本発明に係る通信方法は、第一所定帯域幅を有する第一通信モードで通信する通信装置が第一通信モードと異なる通信技術を採用する第二所定帯域幅を有する第二通信モードで通信する電子装置を利用して第二通信モードで他の装置と通信するように制御し、通信装置が電子装置に接続されたか否かを判断するステップと、通信装置が電子装置に接続されると、第二所定帯域幅と電子装置が占有する帯域幅との間の差を検出して剰余帯域幅を求めるステップと、第一所定帯域幅と剰余帯域幅を比較するステップと、第一所定帯域幅が剰余帯域幅より小さいと、通信装置が電子装置を利用して第二通信モードで他の装置と通信するように制御し、第一所定帯域幅が剰余帯域幅より大きいと、通信装置が第一通信モードで他の装置と通信するように制御するステップと、を備える。
【発明の効果】
【０００６】
本発明において、第一通信モードを採用して通信する通信装置が第二通信モードを採用して通信する電子装置に接続され、且つ電子装置の利用できる帯域幅が通信装置の帯域幅より大きいと、通信装置は電子装置を利用して第二通信モードで他の装置と通信することができ、このように通信モードを切り替えて、通信装置のデータ伝送速度を高める。
【図面の簡単な説明】
【０００７】
【図１】本発明の実施形態に係る通信装置の機能ブロック図である。
【図２】本発明の実施形態に係る通信装置を示す図である。
【図３】本発明の実施形態に係る通信方法のフローチャートである。
【発明を実施するための形態】
【０００８】
以下、図面を参照して、本発明の実施形態について説明する。
【０００９】
図１を参照すると、第一通信モードを採用して通信する通信装置１０は、第二通信モードを採用して通信する電子装置２０に電気的に接続される。第一通信モード及び第二通信モードは別々に異なる通信技術を採用し、第一通信モードは第一所定帯域幅を有し、第二通信モードは第二所定帯域幅を有する。本実施形態において、通信装置１０は携帯電話又は他の通信機能を有する移動端末設備であり、電子装置２０はテレビジョン又はＤＶＤなどであり、第一通信モードは移動通信技術に基づく無線通信であり、例えば、第三世代移動通信技術（３Ｇ）及び第四世代移動通信技術（４Ｇ）などであり、第二通信モードはＴＣＰ/ＩＰ通信プロトコルに基づく有線通信である。
【００１０】
通信装置１０は、判断モジュール１１と、検出モジュール１３と、比較モジュール１５と、制御モジュール１７と、を備える。
【００１１】
判断モジュール１１は、通信装置１０が電子装置２０に接続されたか否かを判断し、通信装置１０が電子装置２０に接続されると検出信号を生成する。本実施形態において、通信装置１０は電子装置２０の頂部の挿入スロットに差し込まれて電子装置２０に電気的に接続される（図２を参照）。他の実施形態において、通信装置１０は無線方式によって電子装置２０に接続することができる。
【００１２】
検出モジュール１３は、検出信号に基づいて第二所定帯域幅と電子装置２０が占有する帯域幅との間の差を検出して剰余帯域幅を求める。
【００１３】
比較モジュール１５は、第一所定帯域幅と剰余帯域幅を比較して、第一所定帯域幅が剰余帯域幅より小さいか等しいと第一制御信号を生成し、第一所定帯域幅が剰余帯域幅より大きいと第二制御信号を生成する。
【００１４】
制御モジュール１７は、第一制御信号を受信すると、通信装置１０が電子装置２０を利用して第二通信モードを採用して他の装置と通信するように制御し、第二制御信号を受信すると、通信装置１０が第一通信モードを採用して他の装置と通信するように制御する。本実施形態において、通信装置１０が電子装置２０を利用して第二通信モードを採用して他の装置と通信する場合、電子装置２０はモデムに相当する。
【００１５】
図３を参照すると、本発明の通信方法は、第一通信モードを採用して通信する通信装置１０が第二通信モードを採用して通信する電子装置２０を利用して他の装置と通信するように制御する。第一通信モード及び第二通信モードは別々に異なる通信技術を採用し、第一通信モードは第一所定帯域幅を有し、第二通信モードは第二所定帯域幅を有する。本実施形態において、通信装置１０は、携帯電話又は他の通信機能を有する移動端末であり、電子装置２０はテレビジョン又はＤＶＤなどであり、第一通信モードは移動通信技術に基づく無線通信であり、例えば、第三世代移動通信技術（３Ｇ）及び第四世代移動通信技術（４Ｇ）などであり、第二通信モードはＴＣＰ/ＩＰ通信プロトコルに基づく有線通信である。本発明の通信方法は、以下のステップを備える。
【００１６】
ステップＳ３０１：通信装置１０が電子装置２０に接続されたか否かを判断する。通信装置１０が電子装置２０に接続された場合、検出信号を生成し且つステップＳ３０２に入る。通信装置１０が電子装置２０に接続されなかった場合、ステップＳ３０１に戻る。本実施形態において、通信装置１０は電子装置２０に電気的に接続される。他の実施形態において、通信装置１０は無線方式によって電子装置２０に接続することができる。
【００１７】
ステップＳ３０２：第二所定帯域幅と電子装置２０が占有する帯域幅との間の差を検出して剰余帯域幅を求める。
【００１８】
ステップＳ３０３：第一所定帯域幅と剰余帯域幅を比較する。第一所定帯域幅が剰余帯域幅より小さいか等しいと、比較モジュール１５は第一制御信号を生成し且つステップＳ３０４に入り、第一所定帯域幅が剰余帯域幅より大きいと、比較モジュール１５は第二制御信号を生成し且つステップＳ３０５に入る。
【００１９】
ステップＳ３０４：第一制御信号によって通信装置１０が電子装置２０を利用して第二通信モードを採用して他の装置と通信するように制御する。本実施形態において、通信装置１０が電子装置２０を利用して第二通信モードを採用して他の装置と通信する場合、電子装置２０はモデムに相当する。
【００２０】
ステップＳ３０５：第二制御信号によって通信装置１０が第一通信モードを採用して他の装置と通信するように制御する。
【００２１】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２２】
１０  通信装置
１１  判断モジュール
１３  検出モジュール
１５  比較モジュール
１７  制御モジュール
２０  電子装置
【図１】
2014087051.tif 000003
【図２】
2014087051.tif 000004
【図３】
2014087051.tif 000005